(57)【特許請求の範囲】
【請求項１】
上面に開口部を有し外郭を構成する箱状の本体と、前記本体の上面を覆い、被加熱調理容器を載置する天板と、前記天板を保持するためのフレームと、前記天板の下方に位置し前記被加熱調理容器を加熱する加熱コイルと、加熱を制御する制御基板と、前記制御基板上方に設置され、前記加熱コイルを保持するための基板カバーと、前記本体前方に設けられ前記加熱コイルおよび前記制御基板を冷却するための冷却ファンと、冷却風を供給するために前記本体前方に設けられた吸気口と、本体後方天面上に設けられ前記加熱コイルおよび前記制御基板の冷却風を排気する排気口と、左右方向に垂直に設けた第１の壁と前記第１の壁の端部と所定の間隔を設けて前後方向に形成される側壁と、前記側壁から第１の壁端部よりも内側にのび、第１の壁後方に所定の間隔を設けて左右方向に垂直に対向した第２の壁から成る浸水防壁とを備え、前記基板カバー後方前記排気口側に前記基板カバー上面より低い位置に、前記浸水防壁を取り付けるための取り付け面を形成し、前記取り付け面に、前記浸水防壁を前記排気口下方前方に配した誘導加熱調理器。
【請求項２】
本体底面に水を本体外に逃がす水抜き穴を備え、基板カバー後方排気口側に前記基板カバー上面よりも低い位置に形成された浸水防壁取り付け面の端部を下方に向け、傾斜面を形成した請求項１に記載の誘導加熱調理器。
【請求項３】
基板カバー後方排気口側に前記基板カバー上面よりも低い位置に形成された浸水防壁取り付け面の端部を下方に向けて形成された傾斜面に下方に向かう少なくとも一つの溝を形成した請求項２に記載の誘導加熱調理器。
【請求項４】
浸水防壁と前記浸水防壁取り付け面から鉛直方向に伸び、段差を形成している基板カバーの段壁との間に間隙を設けて前記浸水防壁を設置する構成とした請求項１に記載の誘導加熱調理器。
【請求項５】
浸水防壁にフランジを設け、前記フランジにビスで前記浸水防壁を基板カバーに固定するための穴と位置決めのための穴を形成し、前記基板カバーにも前記ビス穴と位置決めリブを形成し、互いを取り付ける構成とした請求項１に記載の誘導加熱調理器。
【請求項６】
本体の側壁の横倒れを防止するための横倒れ防止金具を備え、浸水防壁と基板カバーに形成された互いを取り付けるためのビス穴は、前記横倒れ防止金具を取り付けるためのビス穴と兼用とする構成とした請求項５に記載の誘導加熱調理器。
【請求項７】
浸水防壁または基板カバーに少なくとも一つの嵌合凸部を設け、もう一方に前記嵌合凸部が挿入され、係合する嵌合凹部を形成し、前記浸水防壁と前記基板カバーとを取り付ける構成とした請求項１に記載の誘導加熱調理器。
【請求項８】
基板カバーの上面排気口側に浸水防壁の加熱コイルを冷却した風を排気するための開口よりも低い高さのリブを設けた請求項１に記載の誘導加熱調理器。
【発明の詳細な説明】
【技術分野】
【０００１】
本発明は、誘導加熱調理器に関するものである。
【背景技術】
【０００２】
従来、この種の誘導加熱調理器は、冷却風の排気口から侵入する水を本体内に流入することを防ぐ構成を備えたものがある。
【０００３】
図７は、従来の誘導加熱調理器の全体構成図を示すものである。図７に示すように、本体１と、本体１の天面に配された被加熱調理器具を載置する天板２と、天板２を保持するためのフレーム３と、天板２の下方に設けられた左右加熱コイル４ａおよび４ｂと、加熱を制御する制御基板５と、制御基板５上方に設置され、加熱コイル４を保持するための基板カバー６と、本体１前方および加熱コイル４ａ下方に設けられた加熱コイル４と制御基板５を冷却するための冷却ファン７と、冷却風を供給するために本体１前方に設けられた吸気口８と、本体１後方の天面上に設けられ加熱コイル４および制御基板５の冷却風を排気する左右の排気口９ａと９ｂとを備え、排気口９から侵入する水を本体内に流入することを防ぐ立壁１０が基板カバー６上に構成している。
【０００４】
しかしながら、上記構成では、排気口９から本体内への水侵入を防ぐことはできるが、加熱コイル４ａの冷却風の効率のよい排気を妨げており、結果、加熱コイル４ａの冷却風のほとんどが加熱コイル４ｂの後方に配された排気口９ｂへ排気されており、冷却効率に問題があった。
【０００５】
また、冷却効率と排気口からの水の浸入防止とを両立させているものもある（例えば、特許文献１参照）。
【０００６】
図８は、特許文献１に記載された従来の組込み式誘導加熱式調理器を示すものである。図８に示すように、本体１と、本体１に配設され流し台１１の上面に位置する排気口９と、排気口９に相対する外郭内部位置の下壁１ａに垂直な立壁１０ａを設け、さらに本体内部側下壁１ａに相対する位置に併設した天壁１ｂに垂直な立壁１０ｂを設け、一定の体積を有する箱部１２を構成している。
【０００７】
上記構成にしたことにより、使用者が鍋等に入った水を流し台１１の奥壁１１ａ方向に勢いよくこぼし、そのはね返りで排気口９に向かって侵入しようとしても、立壁１０ａがそれを防ぎ、浸水の一部が立壁１０ａ上端を飛び越えた際にも、立壁１０ｂによってこれをブロックし、本体内に設けられている制御基板５への直接の被水を防止し、さらに浸入した水を箱部１２に溜めることによって、流入による制御基板５裏面等への水の付着を防止した後、万一大量に本体内に溢水した際に、箱部１２に溜める許容値を越えるまえに、本体に設けた開口部によって流し台内に逃がし、制御基板５裏面等への水の付着を防止することができる。
【０００８】
しかしながら、上記構成では、水浸入防止のための壁は本体外郭にもうけられており、トップ部を薄型にすることができなかった。
【０００９】
また、トップ部を薄型にし、かつ水の浸入と冷却効率を両立させたものもある（例えば、特許文献２参照）。
【００１０】
図９は、特許文献２に記載された従来の組み込み式加熱調理器を示すものである。天板２と、天板２を下方から支持する支持体１４と、天板２の端面部を覆設するフレーム３と、本体外郭１とを備え、支持体１４の側壁には排気口９Ａを設けて、さらにフレーム３にも排気口９Ａに対応する位置に排気口９Ｂを設けた構成により、薄型のトップ構成で溢水、冷却性能を両立させ、かつ天板２の空間を広く保つことができる。
【００１１】
しかしながら、前記構成であっても、流し台と天板との凹凸は大きく、また据置等の誘導加熱調理器の場合は、設置寸法制約が大きく本体外郭外に排気構成をつけることが困難となる。また、本体天面に排気口を有した場合、冷却性能を確保するためには単に壁を立てればよいというものではなくなる。
【先行技術文献】
【特許文献】
【００１２】
【特許文献１】特開平１１−３５４２６３号公報
【特許文献２】特開２００５−２６５２０９号公報
【発明の概要】
【発明が解決しようとする課題】
【００１３】
しかしながら、前記従来の構成では、排気口から本体内への水侵入を防ぐことはできるが、加熱コイルの冷却風の効率のよい排気を妨げて冷却効率が低下し、また、トップ部を薄型にすることができないため流し台と天板との凹凸が大きくなり、また、設置寸法制約が大きく本体外郭外に排気構成をつけることが困難になるという課題を有していた。
【００１４】
本発明は、前記従来の課題を解決するもので、制約のある設置状態で、本体内への水の浸入による内部部品の水濡れによる故障やトラッキングを防止する機能を損なうことなく、冷却効率性能を高めた、冷却性能と溢水性能との両立の確保した信頼性の高い誘導加熱調理器を提供することを目的とする。
【課題を解決するための手段】
【００１５】
前記従来の課題を解決するために、本発明の誘導加熱調理器は、上面に開口部を有し外郭を構成する箱状の本体と、本体の上面を覆い、被加熱調理容器を載置する天板と、天板を保持するためのフレームと、天板の下方に位置し被加熱調理容器を加熱する加熱コイルと、加熱を制御する制御基板と、制御基板上方に設置され、加熱コイルを保持するための基板カバーと、本体前方に設けられ加熱コイルおよび制御基板を冷却するための冷却ファンと、冷却風を供給するために本体前方に設けられた吸気口と、本体後方天面上に設けられ加熱コイルおよび制御基板の冷却風を排気する排気口と、左右方向に垂直に設けた第１の壁と前記第１の壁の端部と所定の間隔を設けて前後方向に形成される側壁と、前記側壁から第１の壁端部よりも内側にのび、第１の壁後方に所定の間隔を設けて左右方向に垂直に対向した第２の壁から成る浸水防壁とを備え、基板カバー後方前記排気口側、基板カバー上面より低い位置に浸水防壁を取り付けるための取り付け面を形成し、その取り付け面に、浸水防壁を排気口下方前方に配置する構成としている。
【００１６】
これによって、本体天面上に設けられた排気口から水が浸入した際でも、浸水防壁に設けられた第１の壁、および第２の壁により本体内への流入を防止することができ、万が一、大量の水が本体天面より注がれ、浸水防壁内へと侵入した際も、加熱コイルが載置された基板カバー上面よりも低い位置に、浸水防壁が取り付けられているため、水が溢れ出し、基板カバー上面に到達するまでには相当の時間を要する。
【００１７】
よって、大電流が流れる加熱コイル側へ水が浸入するのを防ぐ効果をより高めることができる。さらに、第１の壁とその端部と所定の間隔を設けて前後方向に形成される側壁および、前記側壁から第１の壁端部よりも内側にのび、第１の壁後方に所定の間隔を設けて左右方向に垂直に対向した第２の壁を形成する浸水防壁の構成により、加熱コイルの冷却風の排気誘導路をも確保することができる。
【発明の効果】
【００１８】
本発明の誘導加熱調理器は、本体天面上に設けられた排気口から水が浸入した際でも、浸水防壁により水が本体内に流入するのを防ぎ、かつ、大量の水が注がれ、浸水防壁を乗り越えた場合であっても、水がより大電流部や本体内に浸入しない構成としているため、内部部品および充電部の水濡れによる故障や感電、トラッキングを防ぐことができる。また、浸水防壁そのものの構成が、排気誘導路を確保しているため、冷却効率を高めることができ、冷却性能と溢水性能とを両立した信頼性の高い誘導加熱調理器を提供することができる。
【図面の簡単な説明】
【００１９】
【図１】本発明の実施の形態１における誘導加熱調理器の断面図
【図２】本発明の実施の形態１における誘導加熱調理器の部分拡大図
【図３】本発明の実施の形態１における誘導加熱調理器の浸水防壁の構成図
【図４】本発明の実施の形態２における誘導加熱調理器の浸水防壁の構成図
【図５】本発明の実施の形態３における誘導加熱調理器の浸水防壁の構成図
【図６】本発明の実施の形態４における誘導加熱調理器の断面図
【図７】従来の誘導加熱調理器の全体構成図
【図８】特許文献１に記載された従来の組込み式誘導加熱式調理器の部分構成図
【図９】特許文献２に記載された従来の組み込み式加熱調理器の部分構成図
【発明を実施するための形態】
【００２０】
第１の発明は、上面に開口部を有し外郭を構成する箱状の本体と、前記本体の上面を覆い、被加熱調理容器を載置する天板と、前記天板を保持するためのフレームと、前記天板の下方に位置し前記被加熱調理容器を加熱する加熱コイルと、加熱を制御する制御基板と、前記制御基板上方に設置され、前記加熱コイルを保持するための基板カバーと、前記本体前方に設けられ前記加熱コイルおよび前記制御基板を冷却するための冷却ファンと、冷却風を供給するために前記本体前方に設けられた吸気口と、本体後方天面上に設けられ前記加熱コイルおよび前記制御基板の冷却風を排気する排気口と、左右方向に垂直に設けた第１の壁と前記第１の壁の端部と所定の間隔を設けて前後方向に形成される側壁と、前記側壁から第１の壁端部よりも内側にのび、第１の壁後方に所定の間隔を設けて左右方向に垂直に対向した第２の壁から成る浸水防壁とを備え、前記基板カバー後方前記排気口側に前記基板カバー上面より低い位置に、前記浸水防壁を取り付けるための取り付け面を形成し、前記取り付け面に、前記浸水防壁を前記排気口下方前方に配したものである。
【００２１】
これによって、本体天面上に設けられた排気口から水が浸入した際でも、浸水防壁の第１の壁と第２の壁により水が本体内に流入するのを防ぎ、かつ、大量の水が注がれ、浸水防壁を乗り越えた場合であっても、水はまず浸水防壁内に溜まり、加熱コイルが載置された基板カバー上面よりも低い位置に、浸水防壁が取り付けられているため、水が溢れ出し、基板カバー上面に到達するまでには相当の時間を要する。よって、加熱コイル等の大電流部や本体内に水が浸入するのを防ぐ効果をより高めることができる構成としているため、内部部品および充電部の水濡れによる故障や感電、トラッキングを防ぐことができる。
【００２２】
さらに、第１の壁とその端部と所定の間隔を設けて前後方向に形成される側壁および、前記側壁から第１の壁端部よりも内側にのび、第１の壁後方に所定の間隔を設けて左右方向に垂直に対向した第２の壁を形成する浸水防壁の構成により、加熱コイルの冷却風の排気誘導路を確保しているため、加熱コイルの冷却風排気を妨げることがないので、冷却効率を高めることができる。よって、冷却性能と溢水性能とを両立した信頼性の高い誘導加熱調理器を提供することができる。
【００２３】
第２の発明は、特に、第１の発明の本体底面に水を本体外に逃がす水抜き穴を備え、基板カバー後方排気口側に前記基板カバー上面よりも低い位置に形成された浸水防壁取り付け面の端部を下方に向け、傾斜面を形成したことにより、本体天面上に設けられた排気口から大量に水が侵入した場合においても、浸水防壁の第２の壁によって本体側には水は浸入せず、また浸水防壁底面および基板カバーに溜まることなく、本体底面に落ち、本体底面に形成された水抜き穴より本体外へと水が逃げるため、制御基板や充電部が水濡れすることがないため、感電や故障等を防止することができる。
【００２４】
第３の発明は、特に、第２の発明の基板カバー後方排気口側に、前記基板カバー上面よりも低い位置に形成された浸水防壁取り付け面の端部を下方に向けて形成された傾斜面に下方に向かう少なくとも一つの溝を形成したことにより、水が本体底面に落ちる際に、下方にベクトルを向けた溝を通るので、円滑に水を本体下方におとし、本体底面にある水抜き穴より水を逃がすことができる。
【００２５】
第４の発明は、特に、第１の発明の浸水防壁と前記浸水防壁取り付け面から鉛直方向に伸び、段差を形成している基板カバーの段壁との間に間隙を設けて前記浸水防壁を設置する構成としたことにより、もしも浸水防壁の第１の壁を乗り越えて水が本体内部側へと溢れ出そうとする際、すぐに基板カバー上面に流れ出すのではなく、前記間隙に一度流れおちるため、段差を乗り越えて基板カバー上面に溢れ出すには、相当の水量と注水スピードを要するため、溢水性に富んだ構成とすることができる。
【００２６】
第５の発明は、特に、第１の発明の浸水防壁にフランジを設け、前記フランジに、ビスで前記浸水防壁を基板カバーに固定するための穴と位置決めのための穴を形成し、前記基板カバーにも前記ビス穴と位置決めリブを形成し、互いを取り付ける構成としたことにより、取り付けるための位置決めがあるため、組み立て性が良く、またビスで取り付けることで、強固に固定をすることができるため、浸水防壁と基板カバーとの浮きを小さくし、内部への浸水をより防ぐことができる。
【００２７】
第６の発明は、特に、第５の発明において、本体の側壁の横倒れを防止するための横倒れ防止金具を備え、浸水防壁と基板カバーに形成された互いを取り付けるためのビス穴は、前記横倒れ防止金具を取り付けるためのビス穴と兼用とする構成したことにより、少ないビスで、浸水防壁と基板カバーの固定、基板カバーと横倒れ防止金具の固定を実現できる。
【００２８】
第７の発明は、特に、第１の発明の浸水防壁または基板カバーに少なくとも一つの嵌合凸部を設け、もう一方に前記嵌合凸部が挿入され係合する嵌合凹部を形成し、前記浸水防壁と前記基板カバーとを取り付ける構成としたことで、ビスなしで取り付けることが可能となり、コストダウンすることができる。
【００２９】
第８の発明は、特に、第１の発明の基板カバーの上面排気口側に、加熱コイルを冷却した風を排気するための浸水防壁開口よりも低い高さのリブを設けたことにより、万が一水が基板カバー上面に乗り上げた場合でも、前記リブを乗り越えなければ、水は加熱コイル側へと浸入できないので、リブが無い場合よりも、水の浸入を防ぐ効果をより増すことができる。また、リブは冷却風を排気するための浸水防壁開口高さよりも低いため、排気を妨げることはなく、冷却効率も確保することができる。
【００３０】
以下、本発明の実施の形態について、図面を参照しながら説明する。なお、この実施の形態によって本発明が限定されるものではない。
【００３１】
（実施の形態１）
図１は、本発明の第１の実施の形態における誘導加熱調理器の断面図を示すものであり、図２は、本発明の第１の実施の形態における誘導加熱調理器の部分拡大図である。
【００３２】
本体１は金属を箱状に折り曲げ、上方に開口をもっており、本体１の上方開口を覆うように配される被加熱調理器具を載置する天板２と、天板２を本体１に設置するために天板２を支え、かつ接続するための穴を持つ金属製のフレーム３で構成されている。
【００３３】
また、本発明の誘導加熱調理器は、天板２の下方に設けられた被加熱調理器具を加熱するための加熱コイル４を備え、加熱を制御する制御基板５が本体１内に基板保持部材１５により保持されており、制御基板５上方には基板カバー６が設置され、加熱コイル４を保持している。
【００３４】
また、本体１前方および加熱コイル４下方に設けられた加熱コイル４と制御基板５を冷却するための冷却ファン７が備えられており、本体前方に設けられた吸気口８から冷却風が吸気され、加熱コイル４および制御基板５等を冷却した後、本体後方の天面上に設けられた排気口９から排気される構成としている。
【００３５】
また、基板カバー６の排気口９側を基板カバー上面２０よりも低くして段差を設け、段壁２１と取り付け面１３を形成し、さらに取り付け面１３端部を下方に向け、傾斜面２２を構成しており、傾斜面２２には少なくとも１つ以上の溝２３（図２）が形成されている。
【００３６】
また、本体１底面には、本体内に侵入した水を本体外に逃がすための水抜き穴２４が設けられている。
【００３７】
図３は本発明の第１の実施の形態における誘導加熱調理器の浸水防壁の構成図である。
【００３８】
ここで、浸水防壁１６（図１）は図３で示されるように、左右方向に垂直に設け、天板２およびフレーム３に当接しない程度の間隔を持たせた高さの第１の壁１７と第１の壁１７の端部と所定の間隔を設けて前後方向に形成され、第１の壁１７と同高さの側壁１８と、側壁１８から第１の壁１７端部よりも内側にのび、第１の壁１７後方に所定の間隔を設けて左右方向に垂直に対向した第２の壁１９を形成している。
【００３９】
さらに、第１の壁１７と対向するように設けられた、加熱コイル４等の冷却風の排気を導風するための導風開口２５が形成されている。
【００４０】
図１に示されるように、浸水防壁１６は、基板カバー６に形成された取り付け面１３に、段壁２１と間隙３３を持たせ、基板カバー６に形成された位置決めリブ２８ａと浸水防壁底面に設けられた浸水防壁フランジ２６に形成される位置決めリブ穴２８ｂによって、位置決めされ、基板カバー６に形成されたビス穴２７ａと浸水防壁底面フランジに形成されたビス穴２７ｂによって、ビスにより固定される構成としている。
【００４１】
なお、取り付け面１３において基板カバー６に浸水防壁１６を取り付ける構成でなくてもよい。
【００４２】
上記構成にすることにより、図１に示されるように、基板カバー６上に設けられた浸水防壁１６を排気口９下方前方に配置したことにより、本体天面上に設けられた排気口９から水が浸入した際でも、図３で示される浸水防壁１６の第１の壁１７と第２の壁１９によって水が本体内に流入することを防ぐことができ、万が一、第２の壁１９を水が乗り越え、第１の壁１７と側壁１８の所定の間隔より水が侵入し、浸水防壁１６に形成される導風開口部２５から本体側へと水が溢れだしても、浸水防壁１６と基板カバー６の段差によって形成される段壁２１とに間隙３３があるため、水は本体内に侵入する前に、一度間隙３３に溜まる。
【００４３】
さらに間隙３３を溢れ出した場合でも、段差を設けたことにより、基板カバー上面２０へと水が浸入するためには、相当の時間を要する。
【００４４】
その間に、基板カバー６後方に形成される傾斜面２２と傾斜面２２に形成される溝２３により、水を下方に落とすベクトルをつくるため、本体１底面におとされ、本体１底面に形成された水抜き穴２４より、本体外へと排出することができ、溜まった水は大電流の流れる加熱コイル４を保持している基板カバー上面２０まで侵入することはない。
【００４５】
この時、制御基板５は、基板保持部材１５により水から守られるため、本体内部部品および充電部の水濡れによる故障や感電、トラッキングを防ぐことができ、万が一、大量の水が本体内に注がれた場合においても、安全性の高いものとすることができる。
【００４６】
また、第１の壁１７とその端部と所定の間隔を設けて前後方向に形成される側壁１８および、側壁１８から第１の壁１７端部よりも内側にのび、第１の壁１７後方に所定の間隔を設けて左右方向に垂直に対向した第２の壁１９を形成し、冷却風を排気するための導風開口部２５をもつ浸水防壁１６の構成により、完全に壁をたてることなく、冷却風の排気誘導路を確保しているため、その排気を妨げることがないので、冷却効率を高めることができる。
【００４７】
さらに、浸水防壁１６底面に形成される浸水防壁フランジ２６に、浸水防壁１６を基板カバー６にビスで固定するためのビス穴２７ｂと位置決めのためのリブ穴２８ｂを形成し、基板カバー６にもビス穴２７ａと位置決めリブ２８ａを形成し、互いを取り付ける構成としたことにより、取り付けるための位置決めがあるため、組み立て性が良くなる。
【００４８】
またビスで取り付けることで、強固に固定をすることができるため、浸水防壁１６と基板カバー６との浮きを小さくし、内部への浸水をより防ぐことができる。
【００４９】
なお、位置決めリブ２８ａは、浸水防壁１６に、位置決めリブ穴は基板カバー６にあっても良い。また、浸水防壁１６と基板カバー６とを取り付ける構成は、取り付け面１３に構成しなくても良い。よって、浸水防壁１６底面に形成される浸水防壁フランジ２６は底面でなくともよい。
【００５０】
以上のように、冷却性能と溢水性能とを両立した信頼性の高い誘導加熱調理器を提供することができる。
【００５１】
（実施の形態２）
図４は、本発明の第２の実施形態における誘導加熱調理器の浸水防壁の構成図である。
【００５２】
本実施の形態では、本体１の側壁の横倒れを防止するための横倒れ防止金具２９を備え、浸水防壁１６と基板カバー６に形成された互いを取り付けるためのビス穴２７ａおよびビス穴２７ｂは、横倒れ防止金具２９を取り付けるためのビス穴２７ｃと兼用としている点において異なっている。その他は実施の形態１と同様であるため、説明を省略する。
【００５３】
上記構成したことにより、浸水防壁１６と基板カバー６の固定、および基板カバー６と横倒れ防止金具２９の固定を少ないビスで実現できるため、組み立ての工数を減らすことができ、かつ、ビス本数を少なくすることができるので、コストダウンに貢献することができる。
【００５４】
（実施の形態３）
図５は、本発明の第３の実施の形態における誘導加熱調理器の浸水防壁の構成図である。
【００５５】
本実施の形態では、実施の形態１の浸水防壁１６または基板カバー６に少なくとも一つの嵌合凸部３０を設け、もう一方に前記嵌合凸３０部が挿入され係合する嵌合凹部３１を形成し、浸水防壁１６と基板カバー６とを取り付ける構成とした点において異なっている。その他は実施の形態１と同様であるため、説明を省略する。
【００５６】
前記構成にすることにより、ビスなしで取り付けることが可能となり、取り付けが容易になるため、組み立て工数およびコストを減らすことができる。なお、嵌合凸部３０および嵌合凹部３１は、浸水防壁１６および基板カバー６のどちらにあってもよい。また、取り付けの構成は、取り付け面１３になくてもよい。
【００５７】
（実施の形態４）
図６は本発明の第４の実施の形態における誘導加熱調理器の断面図である。
【００５８】
本実施の形態では、実施の形態１の基板カバー上面２０に、加熱コイル４を冷却した風を排気するための浸水防壁１６に設けられた導風開口部２５の高さよりも低い高さのリブ３２を設けた点において異なる。その他は実施の形態１と同様であるため、説明を省略する。
【００５９】
上記構成にすることにより、万が一、水が浸水防壁１６と段壁２１との間隙３３から溢れ出し、基板カバー上面２０に乗り上げた場合でも、リブ３２を乗り越えなければ、水は加熱コイル４側へと浸入できないので、リブが無い場合よりも、水の浸入を防ぐ効果をより増すことができる。
【００６０】
また、リブ３２は冷却風を排気するための浸水防壁１６に設けられた導風開口部２５高さよりも低いため、排気を妨げることはなく、冷却効率も確保することができ、冷却性能と溢水性能とを両立した信頼性の高い誘導加熱調理器を提供することができる。
【産業上の利用可能性】
【００６１】
以上のように、本発明にかかる誘導加熱調理器は、本体天面上に設けられた排気口から水が浸入した際でも、浸水防壁により水が本体内に流入するのを防ぎ、内部部品および充電部の水濡れによる故障や感電、トラッキングを防ぐことができ、また、浸水防壁そのものの構成が、排気誘導路を確保しているため、冷却効率を高めることができ、冷却性能と溢水性能とを両立することが可能となるので、調理機器の用途に有効である。
【符号の説明】
【００６２】
１    本体
２    天板
３    フレーム
４    加熱コイル
５    制御基板
６    基板カバー
７    冷却ファン
８    吸気口
９    排気口
１３  取り付け面
１６  浸水防壁
１７  第１の壁
１８  側壁
１９  第２の壁
２０  基板カバー上面
２１  段壁
２２  傾斜面
２３  溝
２４  水抜き穴
２６  浸水防壁フランジ
２７  ビス穴
２８ａ  位置決めリブ
２８ｂ  位置決めリブ穴
２９  横倒れ防止金具
３０  嵌合凸部
３１  嵌合凹部
３２  リブ
３３  間隙
【図１】
0005494029.tif 000002
【図２】
0005494029.tif 000003
【図３】
0005494029.tif 000004
【図４】
0005494029.tif 000005
【図５】
0005494029.tif 000006
【図６】
0005494029.tif 000007
【図７】
0005494029.tif 000008
【図８】
0005494029.tif 000009
【図９】
0005494029.tif 000010